(57)【要約】【課題】車両の前突時にブレーキブースタが車室内に押し込まれる現象を、簡易な手段によって適切に防止することが可能な車両前部構造を提供する。【解決手段】ブレーキブースタ４、サスペンションタワー５、および剛体部品６は、車両前部において車両前後方向に延びるフロントサイドメンバ７に沿うように配置されている、車両前部構造Ａであって、車両前方からの荷重入力により、剛体部品６が車両後方側へ後退する際に、剛体部品６をサスペンションタワー５から車幅方向または上下高さ方向において遠ざける方向に移動ガイドするガイド部材８０を備えている。【選択図】  図２
2018090008.tif 000002
【特許請求の範囲】
【請求項１】
ダッシュパネルに取り付けられたブレーキブースタと、
このブレーキブースタの車両前方側に位置するサスペンションタワーと、
このサスペンションタワーの車両前方側に位置する剛体部品と、
を備えており、
前記ブレーキブースタ、前記サスペンションタワー、および前記剛体部品は、車両前部において車両前後方向に延びるフロントサイドメンバに沿うように配置されている、車両前部構造であって、
車両前方からの荷重入力により、前記剛体部品が車両後方側へ後退する際に、前記剛体部品を前記サスペンションタワーから車幅方向または上下高さ方向において遠ざける方向に移動ガイドするガイド部材を、さらに備えていることを特徴とする車両前部構造。
【発明の詳細な説明】
【技術分野】
【０００１】
本発明は、自動車などの車両前部構造に関する。
【背景技術】
【０００２】
車両前部構造の具体例として、特許文献１に記載の構造がある。
同文献に記載の構造においては、車両前部のエンジンルームと車室とを区画するダッシュパネルに取り付けられたブレーキブースタの車両前方側に、サスペンションタワーが配されている。また、このサスペンションタワーのさらに車両前方側には、ブレーキブースタの内部の負圧を高めるための電動負圧ポンプを備えた油圧制御ユニットが配されている。これらブレーキブースタ、サスペンションタワー、および油圧制御ユニットは、フロントサイドメンバに沿って並んだ配置となっている。
特許文献１においては、油圧制御ユニットに接続された油圧配管に工夫が施され、車両の前突時にフロントサイドメンバが変形したとしても、この変形に起因して前記油圧配管が簡単には損傷しないように構成されており、油圧配管の損傷に起因してブレーキの正常な機能をできる限り維持できるようにされている。
【０００３】
しかしながら、前記従来技術においては、次に述べるように、未だ改善すべき余地があった。
【０００４】
すなわち、車両の前突に起因して車両前部がクラッシュする場合、ブレーキブースタが車室内側に押し込まれる現象は、乗員保護の観点から極力回避する必要がある。
これに対し、前記従来技術においては、ブレーキブースタ、サスペンションタワー、および油圧制御ユニットの三者は、フロントサイドメンバに沿った配置にある。このため、車両前突時に車両前部がクラッシュする際には、油圧制御ユニットとブレーキブースタとの間にサスペンションタワーが挟まれる。このような事態を生じたのでは、油圧制御ユニットが車両前突時に受けた荷重は、サスペンションタワーを介してブレーキブースタに入力し易い。すなわち、車両の前突時の荷重入力によって油圧制御ユニットが後退すると、サスペンションタワーが車両後方側に押される。すると、このサスペンションタワーがブレーキブースタを車両後方側にさらに押す。これでは、ブレーキブースタが後退し易くなる。
また、フロントサイドメンバの前部には、たとえばラジエータサポートが取り付けられているのが一般的であり、車両の前突時においてフロントサイドメンバなどの車両前部の車体部材がクラッシュする際には、前記ラジエータサポートが油圧制御ユニットに当たる虞がある。ところが、前記従来技術においては、前記したクラッシュ時に、油圧制御ユニットがラジエータサポートとサスペンションタワーとの間に挟まれる。したがって、そのような状態となる分だけ、フロントサイドメンバなどの車体部材のクラッシュストロークは短くなってしまう。このようなことは、ブレーキブースタの後退量を少なくする上で好ましいものではない。
【先行技術文献】
【特許文献】
【０００５】
【特許文献１】特開２０１４−２２７１５３号公報
【発明の概要】
【発明が解決しようとする課題】
【０００６】
本発明は、前記したような事情のもとで考え出されたものであり、車両の前突時にブレーキブースタが車室内に押し込まれる現象を、簡易な手段によって適切に防止することが
可能な車両前部構造を提供することを、その課題としている。
【課題を解決するための手段】
【０００７】
上記の課題を解決するため、本発明では、次の技術的手段を講じている。
【０００８】
本発明により提供される車両前部構造は、ダッシュパネルに取り付けられたブレーキブースタと、このブレーキブースタの車両前方側に位置するサスペンションタワーと、このサスペンションタワーの車両前方側に位置する剛体部品と、を備えており、前記ブレーキブースタ、前記サスペンションタワー、および前記剛体部品は、車両前部において車両前後方向に延びるフロントサイドメンバに沿うように配置されている、車両前部構造であって、車両前方からの荷重入力により、前記剛体部品が車両後方側へ後退する際に、前記剛体部品を前記サスペンションタワーから車幅方向または上下高さ方向において遠ざける方向に移動ガイドするガイド部材を、さらに備えていることを特徴としている。
ここで、前記の「剛体部品」とは、車両の前突が発生し、車両後方側に後退した際にサスペンションタワーを圧縮変形させ得る程の剛性をもつ部品である。たとえば、前記従来技術で述べたような、ブレーキブースタの内部の負圧を高めるための電動負圧ポンプを備えた油圧制御ユニットの他、電動負圧ポンプに代えて、または加えて、ＡＢＳ(Antilock Brake System)や、ＶＳＣ（Vehicle Stability Control）用の油圧制御機器などを備えたような油圧制御ユニットが該当する他、バッテリなども該当する。
【０００９】
本発明によれば、次のような効果が得られる。
すなわち、車両の前方衝突が発生し、この前方衝突時の荷重入力に起因して剛体部品が車両後方側に後退する現象が生じた場合に、この剛体部品がサスペンションタワーを車両後方側に直接強く押すことは、前記ガイド部材による移動ガイド作用によって回避される。したがって、剛体部品が受けた荷重が、サスペンションタワーを介してブレーキブースタに入力する現象を適切に防止することが可能となる。また、車両前部に設けられているラジエータサポートなどの部材が剛体部品を車両後方に押す現象を生じた場合に、この剛体部品が前記部材とサスペンションタワーとの間に挟まれるようなことも解消される。このため、車両前部のクラッシュストロークを従来技術よりも長くとることが可能となる。このようなことから、本発明によれば、車両の前突時に、ブレーキブースタが車室内側に押し込まれることを適切に防止または抑制することが可能となる。
本発明においては、剛体部品を移動ガイドするためのガイド部材を設けているが、このガイド部材については、構成を簡易なものとすることができ、製造コストの上昇や重量の増大を適切に抑制することも可能である。
【００１０】
本発明のその他の特徴および利点は、添付図面を参照して以下に行なう発明の実施の形態の説明から、より明らかになるであろう。
【図面の簡単な説明】
【００１１】
【図１】本発明に係る車両前部構造の一例の概略構成を示す要部斜視図である。
【図２】図１の要部概略平面図である。
【図３】（ａ），（ｂ）は、図２に示す構造の作用説明図である。
【図４】（ａ）は、図１および図２に示す構造の油圧制御ユニットの取付け箇所の要部平面図であり、（ｂ）は、（ａ）の要部分解平面図である。
【図５】（ａ）は、図１および図２に示す構造の油圧制御ユニットの取付け箇所の要部側面図であり、（ｂ）は、（ａ）の要部分解側面図である。
【発明を実施するための形態】
【００１２】
以下、本発明の好ましい実施の形態について、図面を参照して具体的に説明する。
【００１３】
図１および図２に示す車両前部構造Ａは、エンジンルーム１と車室２とを区画するダッシュパネル３に取り付けられたブレーキブースタ４、このブレーキブースタ４よりも車両前方側に位置するようにしてエンジンルーム１内に設けられ、かつフロントサスペンションのストラットなどを支持するためのサスペンションタワー５、およびこのサスペンションタワー５よりも車両前方側に位置する油圧制御ユニット６を備えている。油圧制御ユニット６は、本発明でいう剛体部品の一例に該当し、ブレーキブースタ４の内部の負圧を高めるための電動負圧ポンプ（不図示）や、ＡＢＳ、ＶＳＣ用の油圧制御機器などを備え、かつこれらをユニット化したものである（単に「アクチュエータ」と称される場合もある）。
【００１４】
前記したブレーキブースタ４、サスペンションタワー５、および油圧制御ユニット６は、フロントサイドメンバ７に沿うようにして設けられており、これらは車幅方向および上下高さ方向において、互いにオーパラップしている。フロントサイドメンバ７は、車両前部の車幅方向外方側に位置して車両前後方向に延びる部材であり、その前端部側には、ラジエータサポート（その全体図は不図示）の縦柱部７０が接合されている。
【００１５】
油圧制御ユニット６は、ブラケット８を利用してその取り付け固定が図られているが、このブラケット８には、車両前突時において油圧制御ユニット６の移動ガイドを行なうためのガイド部材８０が一体的に連設されている。
より具体的には、図１に示すように、ブラケット８は、複数の取付け片部８１ａ，８１ｂを有しており、これらを介してフロントサイドメンバ７やサスペンションタワー５の下部側壁部５ａなどへの固定が図られている。ブラケット８の上部は、図４および図５に示すような構成であり、油圧制御ユニット６を載置支持するための支持板部８２、油圧制御ユニット６とブラケット８とをボルト８３などを介して固定連結するための固定連結用片８４ａ，８４ｂなどを備えている。
【００１６】
ガイド部材８０は、ブラケット８の支持板部８２から上向きに起立したプレート状の突起として形成されており、油圧制御ユニット６よりも車幅方向外方に位置し、かつその先端部は、油圧制御ユニット６よりも車両後方側に突出するように形成されている。図４に示す平面視において、このガイド部材８０の先端寄り領域は、車両後方側の部分ほど車幅方向内方側に位置するように適当な角度θで傾斜した傾斜部８０ａとされている。好ましくは、傾斜部８０ａの先端には、適当な曲率半径Ｒの丸み付けがなされている。
【００１７】
図５（ｂ）によく現われているように、ガイド部材８０の基端部８０ｂは、他の部分と比較して幅Ｗが狭い幅狭領域とされており、ガイド部材８０に所定以上の荷重が作用した際には、基端部８０ｂの位置が破断し、ガイド部材８０がブラケット８から分離するように構成されている。基端部８０ｂは、ガイド部材８０の脆弱部に相当する。
【００１８】
図２に示すように、ガイド部材８０は、油圧制御ユニット６とサスペンションタワー５との相互間に介在するように位置している。好ましくは、ガイド部材８０の傾斜部８０ａの先端は、サスペンションタワー５の車幅方向内方側に位置するように設定される。
【００１９】
次に、前記した車両前部構造の作用について説明する。
【００２０】
まず、車両の前突が発生し、図３（ａ）に示すように、車両前方から荷重Ｆの入力があると、ラジエータサポートなどが車両後方側に押動され、フロントサイドメンバ７が圧縮変形する。これに伴い、油圧制御ユニット６およびそのブラケット８も車両後方側に後退し、ガイド部材８０の傾斜部８０ａがサスペンションタワー５の角部などに圧接する。すると、ガイド部材８０は、脆弱部とされた基端部８０ｂが分断することによりブラケット８から分離する一方、油圧制御ユニット６は、ガイド部材８０が分離した状態のブラケッ
ト８とともになおも後退する。
【００２１】
ただし、前記の際には、油圧制御ユニット６はガイド部材８０と当接することにより、図３（ｂ）の矢印Ｎａで示すように、車幅方向内方側に移動ガイドされ、油圧制御ユニット６とサスペンションタワー５とは、車幅方向においてオーバラップしないこととなる。その結果、油圧制御ユニット６がサスペンションタワー５に強く当接してこのサスペンションタワー５を圧縮変形させるようなことは適切に回避される。その結果、サスペンションタワー５が油圧制御ユニット６よって後方へ押されることに起因して、ブレーキブースタ４がさらに後方に押されて車室２内側に押し込まれることは適切に解消される。また、ラジエータサポートの縦柱部７０などとサスペンションタワー５との間に、油圧制御ユニット６が挟まれるようなことも回避できるため、フロントサイドメンバ７などの車両前部の車体構成部材のクラッシュストロークを長くとることも可能となる。したがって、ブレーキブースタ４が車室２内に押し込まれることを防止する上で、より好ましいものとなる。
【００２２】
既述したように、油圧制御ユニット６が後退する際には、ガイド部材８０は、ブラケット８から分離し、油圧制御ユニット６に伴って車両後方側に大きく後退することは回避される。分離状態のガイド部材８０については、油圧制御ユニット６が後退する際に、サスペンションタワー５の側面部に接触した状態に固定させておくことが可能であり、油圧制御ユニット６を車幅方向内方へ移動ガイドすることを確実化する作用が得られることとなる。
ただし、本発明はこれに限定されず、ガイド部材８０がブラケット８から分離しないように構成してもよく、この場合であっても本発明の意図する作用を得ることが可能である。
【００２３】
本発明は、上述した実施形態の内容に限定されない。本発明に係る車両前部構造の各部の具体的な構成は、本発明の意図する範囲内において種々に設計変更自在である。
【００２４】
上述の実施形態においては、ガイド部材８０を油圧制御ユニット６のブラケット８に設けているが、本発明におけるガイド部材が設けられる位置は、これに限定されない。本発明においては、たとえばサスペンションタワーの側面部に設けてもよく、さらにはこれ以外の場所に設けてよい。
また、ガイド部材は、油圧制御ユニット（剛体部品）が後退する際に、サスペンションタワーから車幅方向において遠ざけるように移動ガイドするものに限らず、上下高さ方向に遠ざけるように移動ガイドするものとして構成することもできる。具体的には、油圧制御ユニット（剛体部品）が後退する際に、この油圧制御ユニットをサスペンションタワーよりも上方（または下方）に移動ガイドさせることによって、油圧制御ユニットがサスペンションタワーを後方へ押さないようにしてもよい。
【００２５】
本発明でいう剛体部品の定義および具体例については、先に述べたとおりであって、バッテリなども含む概念であり、その具体的な種類は限定されない。
【符号の説明】
【００２６】
Ａ  車両前部構造
３  ダッシュパネル
４  ブレーキブースタ
５  サスペンションタワー
６  油圧制御ユニット（剛体部品）
７  フロントサイドメンバ
８０  ガイド部材
【図１】
2018090008.tif 000003
【図２】
2018090008.tif 000004
【図３】
2018090008.tif 000005
【図４】
2018090008.tif 000006
【図５】
2018090008.tif 000007